(57)【要約】【課題】画像編集作業の効率化及び作業者負担の軽減を図る。【解決手段】ファイルサーバ２に格納された画像データ中の修正箇所を修正指定範囲Ｄとして特定し、管理者端末３の操作入力部３４を操作することにより、当該画像データを分割線Ｌによって平面上で複数の分割画像データに分割した後、修正指定範囲Ｄを含有する分割画像データＹに対して修正処理を施して、修正処理が施された複数の分割画像データを結合させることで、一の画像データとする。【選択図】図１
2007110385.tif 000002
【特許請求の範囲】
【請求項１】
画像データを格納するファイルサーバと、
前記ファイルサーバに格納された前記画像データにおける修正箇所を修正指定範囲として特定し、当該画像データを分割線によって平面上で複数の分割画像データに分割する又は当該複数の分割画像データを結合して一の画像データとする管理者端末と、
前記管理者端末によって分割された修正指定範囲を含有する分割画像データに修正処理を施す複数の作業者端末とを具備することを特徴とする画像編集システム。
【請求項２】
前記管理者端末は、前記分割線の位置を変更することができることを特徴とする請求項１に記載の画像編集システム。
【請求項３】
前記管理者端末は、前記修正指定範囲を含有する分割画像データと、当該修正指定範囲を含有しない分割画像データとを異なる態様で表示することを特徴とする請求項１又は請求項２に記載の画像編集システム。
【発明の詳細な説明】
【技術分野】
【０００１】
本発明は、画像編集システムに係り、特に、画像データに対する修正作業を複数の作業者によって同時に行う画像編集システムに関する。
【背景技術】
【０００２】
従来、代表的な印刷物の作製方法として、写真植字機（以下、写植機という。）を用いた作製方法が挙げられ、ガラスの文字盤に光を照射し、レンズを介して拡大縮小することで印画紙に文字を露光して行われていた。しかし、このような写植機を用いた印刷物の作製方法は、各工程において専門的な知識や能力が必要とされるため、作業者の利便性が顕著に低下するといった問題が生じていた。
【０００３】
そこで、原稿の入力やイラスト等の制作、組版及びレイアウト、出力までの一連の作業を一般に普及しているパソコンを用いて処理することが可能なシステム、いわゆるＤＴＰ（Desk Top Publishing）を用いた画像編集システムが用いられ、作業者の利便性の向上が図られている。一般的に、印刷物の作製作業においては、レイヤー（階層構造）の概念を用いることにより、作業情報を背景、アイテム、文字等の各要素を独立面としてのレイヤーに分割し、これらレイヤーを各作業者に送信した後、各作業者が担当する各レイヤーに対して修正処理を施すようになっている。そのため、各レイヤーに対する並列作業が実現し、編集作業の効率化が図っていた。
【０００４】
ところで、商用の印刷物の場合、発注会社が製作会社に特定の印刷物の作製を依頼すると、これを請け負った製作会社は、印刷原稿の作成を行った後、発注会社に原稿を戻して校正を依頼する手順で作製されている。しかし、通常、発注会社内の複数の作業者によって各レイヤーに対する修正処理が施されることが多く、製作会社側の管理者は、各作業者に対して個別に修正依頼を行う必要が生ずるため、連絡作業が非常に煩雑になるといった問題が生じていた。また、修正処理の進捗状況等を把握することも非常に困難であると行った問題も生じていた。
【０００５】
そこで、作業者と管理者との間でスムーズな連携をとりながら修正作業を進めるとともに、管理者が修正作業の進捗状況を容易に把握することが可能な画像編集システムとして、管理者が校正情報を保存する複数の校正レイヤーを作成し、複数の作業者に各校正レイヤーを割り振り、各作業者が校正指示を書き込んだ後、校正指示が書き込まれた校正レイヤーに基づいて、管理者が修正作業を行う画像編集システムが開発されている（例えば、特許文献１参照）。
【特許文献１】特開２００１−１８８７７８号公報
【発明の開示】
【発明が解決しようとする課題】
【０００６】
しかしながら、上述した特許文献１に記載の画像編集システムの場合、修正処理後の各レイヤーを統合させた後、結合後の全体画像に対して再度修正処理をしなければならず、処理工程数が増大するとともに、多くの作業時間が費やされ、画像編集作業の作業効率が低下するといった問題が生じている。併せて、作業者にかかる負担が増大するといった問題も生じている。
【０００７】
本発明は、前記した点に鑑みてなされたものであり、画像編集作業の効率化及び作業者負担の軽減を図ることが可能な画像編集システムを提供することを目的とする。
【課題を解決するための手段】
【０００８】
以上の課題を解決するために、請求項１に記載の発明に係る画像編集システムは、
画像データを格納するファイルサーバと、
前記ファイルサーバに格納された前記画像データにおける修正箇所を修正指定範囲として特定し、当該画像データを分割線によって平面上で複数の分割画像データに分割する又は当該複数の分割画像データを結合して一の画像データとする管理者端末と、
前記管理者端末によって分割された修正指定範囲を含有する分割画像データに修正処理を施す複数の作業者端末とを具備することを特徴とする。
【０００９】
請求項２に記載の発明に係る画像編集システムは、前記管理者端末が、前記分割線の位置を変更することができることを特徴とする。
【００１０】
請求項３に記載の発明に係る画像編集システムは、前記管理者端末が、前記修正指定範囲を含有する分割画像データと、当該修正指定範囲を含有しない分割画像データとを異なる態様で表示することを特徴とする。
【発明の効果】
【００１１】
請求項１に記載の発明によれば、修正指定範囲が特定された画像データを、分割線によって平面上で複数の分割画像データに分割するので、レイヤー毎に分割する場合と比較して、複数の分割画像データの結合後に、全体画像データに対して修正処理を施す必要がなくなるため、処理工程数の低減及び作業時間の短縮を図るが可能となる。
そのため、画像編集作業の効率化及び作業者負担の軽減を図ることができる。
【００１２】
請求項２に記載の発明によれば、管理者端末により、分割線の位置を変更することができるので、分割線が修正指定範囲に重畳することを防止することで、ある特定の修正指定範囲を一の作業者が担当することが可能となる。
そのため、修正作業における正確性の向上とともに、更なる作業効率の向上を図ることができる。
【００１３】
請求項３に記載の発明によれば、管理者端末が、修正指定範囲を含有する分割画像データと、当該修正指定範囲を含有しない分割画像データとを異なる態様で表示するので、を確認し易くなることで、作業内容及び作業者の決定時における分割画像データを容易に選択することが可能となる。
そのため、更なる画像編集作業の効率化及び作業者負担の軽減を図ることができる。
【発明を実施するための最良の形態】
【００１４】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１５】
図１に示すように、本実施形態における画像編集システム１は、画像データが記憶されたファイルサーバ２と、管理者によって使用される管理者端末３と、作業者によって使用される複数の作業者端末４とを備え、これらファイルサーバ２、管理者端末３及び作業者端末４は、ネットワーク５を介して接続されている。
【００１６】
ファイルサーバ２は、図２に示すように、制御部２１と、表示部２２と、操作入力部２３と、通信制御部２４等を備えて構成されている。
制御部２１は、画像編集プログラムａ１の実行に基づいて、画像データに修正処理を施すための種々の処理を行うためのものであり、各種の演算処理等を行うＣＰＵ２１１と、このＣＰＵ２１１のワークエリア等として使用されるとともに、ＣＰＵ２１１が各部を制御するのに必要な所定のプログラム等が記憶された記憶部２１２とを備えている。
【００１７】
ＣＰＵ（Central Processing Unit）２１１は、記憶部２１２のプログラムエリア２１２ｃの内部に格納されたプログラムを読み出し、作業エリア２１２ａの内部に展開して、プログラムに基づいて各部への指示やデータの送受信の制御を行うようになっている。
記憶部２１２には、ＣＰＵ２１１のワークエリアとして機能するための作業エリア２１２ａと、修正作業の作業内容及び詳細コメントや、担当作業者を記憶する作業データベース等が格納されたデータエリア２１２ｂと、ＣＰＵ２１１に実行させるプログラムが格納されたプログラムエリア２１２ｃとが形成されている。
【００１８】
以上の構成からなるファイルサーバ２は、管理者端末３及び作業者端末４の指示に基づいて、各部への指示やデータを送受信するようになっている。
【００１９】
管理者端末３は、例えば、パーソナルコンピュータ等によって構成されており、図３に示すように、ＣＰＵ３１と、記憶部３２と、表示部３３と、操作入力部３４と、通信制御部３５等を備え、これら各構成部材は、バス１Ａによって接続されている。
【００２０】
ＣＰＵ３１は、記憶部３２に記憶されている管理者端末４としての機能に関る各種プログラムを読み出して記憶部３２の作業領域に展開し、プログラムに従って各種処理を実行するものである。
記憶部３２には、ＣＰＵ３１の作業エリア３２ａと、作業ディレクトリ３２ｂ１等を格納するデータエリア３２ｂと、ＣＰＵ３１に実行されるプログラムが格納されたプログラムエリア３２ｃとが形成されている。
表示部３３は、例えば、ＣＲＴやＬＣＤ等によって構成されており、ＣＰＵ３１から出力された所定の表示制御信号に従って各種の画面表示を行うようになっている。
操作入力部３４は、例えば、マウスや、各種の操作キーによって構成されるキーボードを備え、作業者によるマウスやキーボードの操作に基づいて、操作信号をＣＰＵ３１に出力するようになっている。
通信制御部３５は、例えば、ＣＰＵ３１の制御下にて、ファイルサーバ２との間で情報の通信制御を行うためのものである。
【００２１】
以上の構成からなる管理者端末３は、管理者が操作入力部３４を操作することによって、表示部３３に表示された分割画像データ中の修正箇所を、描画機能を用いて略円形状のポイントで囲繞する、またはクリック若しくはドラッグすることにより、修正箇所を修正指定範囲Ｄとして特定するようになっている。また、修正指定範囲を含有する分割画像データを選択した後、操作入力部４４を操作することにより、ファイルサーバ２に対して、選択された分割画像データの修正処理作業を担当する作業者の割り当てや、修正処理作業の作業内容及び詳細コメントの設定登録を行うようになっている。さらに、通信制御部３５及びネットワーク５を介して、上述した作業者端末４との間でデータの送受信を行うようになっている。
【００２２】
作業者端末４は、上述した管理者端末３と同様に、例えば、パーソナルコンピュータ等によって構成されており、図４に示すように、ＣＰＵ４１と、記憶部４２と、表示部４３と、操作入力部４４と、通信制御部４５等を備え、これら各構成部品は、バス２Ａにより接続されている。
上述した記憶部４２には、ＣＰＵ４１の作業エリア４２ａと、作業ディレクトリ４２ｂ１等を格納するデータエリア４２ｂと、ＣＰＵ４１に実行されるプログラムが格納されたプログラムエリア４２ｃとが形成されている。
【００２３】
以上の構成からなる作業者端末４は、作業者が操作入力部４４を操作することによって、ファイルサーバ２から配信された分割画像データを、修正指定範囲Ｄ及び管理者による修正内容等の指示内容に基づいて、修正処理を施すようになっている。また、修正処理が施された分割画像データは、通信制御部４５及びネットワーク５を介して、再びファイルサーバ２に送信されるようになっている。
【００２４】
ネットワーク５は、専用線や既存の一般公衆回線を利用して構築されたネットワーク（通信回線）であり、ＬＡＮやＷＡＮ等の様々な回線形態を適用することが可能である。また、ネットワーク５には、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００２５】
次に、本実施形態における画像編集システム１の作用について説明する。
図６に示すように、管理者による管理者端末３の操作入力部３４の操作により、ファイルサーバ２に格納された所定の画像データが、管理者端末３の表示部３３に表示される。表示後、管理者により、画像データに修正対象であるほくろや傷等があるか否かを確認し、その結果、色補正等の各種修正処理を施す必要があると判断した場合には、図７に示すように、操作入力部３４を操作することにより、描画機能を用いて修正箇所を円で指定し、修正指定範囲Ｄとして特定する（ステップＳ１）。
【００２６】
次に、図８に示すように、修正指定範囲Ｄの情報に基づいて、画像データ上に略格子状の分割線Ｌが表示され、この分割線によって画像データが複数の分割画像データに分割された後（ステップＳ２）、修正指定範囲Ｄを含有しない分割画像データを、網掛け等を付した状態で表示される。
この際、図９に示すように、分割線Ｌが修正指定範囲Ｄと重畳している場合には、分割線Ｌの位置を矢印Ａ方向に変更する。また、図１０に示すように、修正指定範囲Ｄを含有しない分割画像データＮは、網がけが付された状態で表示される。
【００２７】
その後、図１１に示すように、画像データの周囲に表示された番号に基づいて、修正指定範囲Ｄを含有する分割画像データＹを選択し、下記表１に示すように、選択した分割画像データに対する修正作業内容、担当する作業者及び詳細コメントを設定する（ステップＳ３）。
【００２８】
【表１】
2007110385.tif 000003
【００２９】
さらに、各分割画像データは、管理者端末３の操作入力部３４を操作することにより、ネットワーク５を介して、ファイルサーバ２から指定された作業者の作業者端末４に配信され（ステップＳ４）、各作業者によって修正処理が施された後（ステップＳ５）、修正処理が施された分割画像データは、ネットワーク５を介して、再度ファイルサーバ２に送信される（ステップＳ６）。
【００３０】
ファイルサーバ２に格納された分割画像データは、当初画像データにおける元の位置に配置され、図１２に示すように、その周端部を太枠Ｆで囲繞した状態で管理者端末３の表示部３３に表示される。その後、管理者によって分割画像データの修正処理状態の確認が行われ（ステップＳ７）、修正処理が不十分であると判断された場合には（ステップ７；ＮＯ）、再度修正処理の作業内容等の設定し直した後に上述した一連の修正処理を施す（ステップＳ３〜Ｓ６）。一方、修正処理が十分であると判断された場合には（ステップ７；ＹＥＳ）、管理者端末３の操作入力部３４を操作することにより、図１３に示すように、確認済みの分割画像データは網がけが付された状態として表示される。他の分割画像データについても同様の作業を行い、図１４に示すように、確認済み分割画像データを結合して（ステップＳ８）、一連の画像編集作業が完了する。
【００３１】
このとき、修正指定範囲Ｄが特定された画像データを、分割線Ｌによって平面上で複数の分割画像データに分割するので、レイヤー毎に分割する場合と比較して、修正処理が施された複数の分割画像データを結合した後に、画像データ全体に対して再度修正処理を施す必要がなくなるため、処理工程数の低減及び作業時間の短縮を図ることができる。
【００３２】
また、管理者端末３の表示部３３において、分割線Ｌの位置を変更することができるので、分割線Ｌが修正指定範囲Ｄに重畳することを防止することで、ある特定の修正指定範囲を一の作業者が担当することができる。
【００３３】
さらに、管理者端末３の表示部３３において、修正指定範囲Ｄを含有しない分割画像データＮは、網がけを付した状態で表示されるので、修正指定範囲Ｄを含有する分割画像データＹを確認し易くなることで、作業内容及び作業者の設定登録時における分割画像データの選択を容易に行うことができる。
【００３４】
以上より、本実施形態における画像編集システム１によれば、修正指定範囲Ｄが特定された画像データを、分割線Ｌによって平面上で複数の分割画像データに分割するので、レイヤー毎に分割する場合と比較して、修正処理が施された複数の分割画像データを結合した後に、画像データ全体に対して再度修正処理を施す必要がなくなるため、処理工程数の低減及び作業時間の短縮を図るが可能となる。
そのため、画像編集作業の効率化及び作業者負担の軽減を図ることができる。
【００３５】
また、管理者端末３の表示部３３において、分割線Ｌの位置を変更することができるので、分割線Ｌが修正指定範囲Ｄに重畳することを防止することで、ある特定の修正指定範囲を一の作業者が担当することが可能となる。
そのため、修正作業における正確性の向上とともに、更なる作業効率の向上を図ることができる。
【００３６】
さらに、管理者端末３の表示部３３において、修正指定範囲Ｄを含有しない分割画像データＮは、網がけを付した状態で表示されるので、修正指定範囲Ｄを含有する分割画像データＹを確認し易くなることで、作業内容及び作業者の設定登録時における分割画像データの選択を容易に行うことが可能となる。
そのため、更なる画像編集作業の効率化及び作業者負担の軽減を図ることができる。
【図面の簡単な説明】
【００３７】
【図１】画像編集システムの全体構成を示すブロック図である。
【図２】ファイルサーバの内部構成を示すブロック図である。
【図３】管理者端末の内部構成を示すブロック図である。
【図４】作業者端末の内部構成を示すブロック図である。
【図５】修正処理作業のフローを示すブロック図である。
【図６】画像データの表示時の態様を示す概念図である。
【図７】修正箇所の指定時の態様を示す概念図である。
【図８】分割線の表示時の態様を示す概念図である。
【図９】分割線の移動時の態様を示す概念図である。
【図１０】修正指定範囲の態様を示す概念図である。
【図１１】作業指示内容及び作業者の決定時の態様を示す概念図である。
【図１２】修正処理後における分割画像データの結合時の態様を示す概念図である。
【図１３】管理者による確認終了時の態様を示す概念図である。
【図１４】画像編集作業の終了時の態様を示す概念図である。
【符号の説明】
【００３８】
１  画像編集システム
２  ファイルサーバ
３  作業者端末
４  管理者端末
５  ネットワーク
Ｄ  修正指定範囲
【図１】
2007110385.tif 000004
【図２】
2007110385.tif 000005
【図３】
2007110385.tif 000006
【図４】
2007110385.tif 000007
【図５】
2007110385.tif 000008
【図６】
2007110385.tif 000009
【図７】
2007110385.tif 000010
【図８】
2007110385.tif 000011
【図９】
2007110385.tif 000012
【図１０】
2007110385.tif 000013
【図１１】
2007110385.tif 000014
【図１２】
2007110385.tif 000015
【図１３】
2007110385.tif 000016
【図１４】
2007110385.tif 000017